(57)【特許請求の範囲】
【請求項１】
火災受信機等の受信部からの共通線およびライン線の間に複数の火災感知器が並列に接続されてなる火災報知機において、
前記各火災感知器は、前記受信部からの信号に基づいて前記共通線およびライン線との間に所定の定電流を流す定電流制御手段を有するとともに、前記受信部は、コンデンサと、該コンデンサから前記信号出力後の共通線およびライン線の間へ放電するときの放電時間から応答した火災感知器の個数を判別する計数手段を有することを特徴とする火災報知機。
【請求項２】
受信部の出力する信号は、点検信号であって、各火災感知器は、該点検信号を受信するときに、自己点検処理を行って正常終了時に定電流制御手段を働かせる請求項１の火災報知機。
【発明の詳細な説明】
【０００１】
【発明の属する技術分野】
本発明は、住戸内に点在する火災感知器の点検を住戸外から遠隔に行う場合などの火災報知機に関する。
【０００２】
【従来の技術】
従来、火災感知器の動作試験は、感知器の種別により加熱試験器や加煙試験器を用いて熱または煙を実際に加えて試験を行っていた。また、熱や煙を直接加える試験は、人や時間を要し感知器を汚すことになるので、火災感知器内部の回路にテスト電圧を加え、検出部を動作させて模擬的に試験することなど、種々の試験方法がある。
【０００３】
住戸に設けられる火災報知機において、点検を行う場合に、そこの住居人が不在の場合がある。例えば、住戸の管理人がある場合には、立ち会いを依頼して住戸内に入ることができるが、手間が係る。一般的には、火災報知機の点検員であっても、住戸内に他人を入れるのは好まれず、点検作業が手間取ることが多い。
【０００４】
そこで、特開平５−３４６９９５号公報には、住戸の外部から個別に火災感知器に点検入力を戸外表示器から行うことを目的として、周波数により特定されたアダプタが感知器に試験電圧を発生させ動作試験する火災報知機が開示されている。しかし、この公報の火災報知機では、個別にアダプタと戸外表示器の信号送出回路の周波数を合わせるために調整する必要があるとともに、試験結果は火災受信機の動作に基づいて鳴動させられる戸外ブザーにより確認を行っていた。
【０００５】
【発明が解決しようとする課題】
この点から、図４に示すような火災受信機等の受信部からの共通線およびライン線の間に複数の火災感知器が並列に接続されてなる火災報知機において、各火災感知器は、受信部からの信号に基づいて共通線およびライン線との間に所定の定電流を流す定電流制御手段を有するとともに、受信部は、前記信号出力後の共通線およびライン線の間の電流値から応答した火災感知器の個数を判別する計数手段を有することを特徴とし、受信部は、応答した火災感知器各々を通過する定電流を合計した共通線およびライン線間の電流値からその個数を判別することが提案されている。この場合、応答しない感知器を特定することはできないが、その応答した感知器の個数から異常の有無については簡便早急に把握することができる。
【０００６】
しかし、マイコン等を用いるときに、共通線およびライン線に流れる電流値を読み込むには、アナログ・デジタル変換をして電流値をコード信号に変換する必要がある。また、電流値を読み込まずに、感知器の個数分を想定した電流値を受信部側に用意して比較器で比較する方式もあるが、部品点数が多くなり回路構成が複雑になってしまう。
【０００７】
【課題を解決するための手段】
上記の点に鑑み、本発明は、火災受信機等の受信部からの共通線およびライン線の間に複数の火災感知器が並列に接続されてなる火災報知機において、各火災感知器は、受信部からの信号に基づいて共通線およびライン線との間に所定の定電流を流す定電流制御手段を有するとともに、受信部は、コンデンサと、該コンデンサから前記信号出力後の共通線およびライン線の間へ放電するときの放電時間から応答した火災感知器の個数を判別する計数手段を有することを特徴とするものである。
【０００８】
したがって、受信部は、応答した火災感知器各々を流れる定電流を合計した共通線およびライン線間の電流値に基づくコンデンサからの放電時間に基づいてその個数を判別することができる。この場合、応答しない感知器を特定することはできないが、応答する感知器の個数から異常の有無については簡便早急に把握することができる。
【０００９】
このとき、受信部では、コンデンサの放電時間について、火災感知器１個の定電流における放電時間と、常時の監視状態における放電時間と、応答する火災感知器の定電流を含めた放電時間と、を測定することにより、コンデンサ個体のばらつきや常時の監視電流等を消去した個数判別が可能になる。
【００１０】
当然、受信部の出力する信号を点検信号として、各火災感知器は、点検信号を受信するときに、自己点検処理を行って正常終了時に定電流制御手段を働かせることにより、異常の火災感知器は定電流制御を行わず、受信部の計数手段からの個数の結果が変わることにより、異常の感知器の存在がわかる。また、自己点検を行わせなくても、火災感知器の脱落等、正常な個数の接続があるかどうかが把握できる。
【００１１】
【発明の実施の形態】
以下、本発明を実施した形態について説明する。図１はシステムの一実施形態を概略的に示す構成図である。
【００１２】
例えば住戸内の居間に設けられた火災受信機１から引き出された共通線２およびライン線３からなる電源兼信号線に、各部屋等に設けられる複数の火災感知器４が並列に送り配線によって接続され、その信号線２、３の後端には終端抵抗５が接続されている。
【００１３】
また、信号線２、３の火災受信機１と各火災感知器４との間には、常時は共通線２およびライン線３を火災受信機１に切り換え接続している線路切換器６が配置されている。
【００１４】
常時は、各火災感知器４は、信号線２、３を通じて火災受信機１から供給される電源によってそれぞれ火災監視動作を行い、火災検出時にはスイッチング動作を行って信号線２、３間を低インピーダンスの略短絡状態とする。火災受信機１は、そのスイッチング動作に基づく略短絡状態を検知して火災報知動作を行う。このとき、火災受信機１は、例えば玄関脇に設けられ接続される戸外表示器１０に火災表示を行ったり、住戸完結型でなく、図示しない住棟受信機が建物全体の監視制御として設けられているときには、必要な火災信号を住棟受信機に出力する。
【００１５】
点検時には、線路切換器６から戸外の例えば戸外表示器１０の側に引き出されたコネクタ１１に、点検器１２がコネクタ接続される。この点検器１２からの点検操作に基づき、線路切換器６は、火災受信機１へ点検出力線９を介して点検開始出力を行い、火災受信機１で点検中を表示させるとともに、各火災感知器４への信号線２、３を、火災受信機１から切り離し、点検器１２へ接続する。この状態において、火災受信機１は、線路切換器６の点検開始出力に基づき点検表示を行い、点検器１２からの戸外点検が可能となる。このとき、各火災感知器４は信号線２、３を通じて点検器１２から供給される電源電圧（ここでは１２Ｖ）によって動作する。
【００１６】
図２は、図１のシステムに使用される火災感知器４の概略回路図である。
【００１７】
火災感知器４は、電源兼信号線２、３がそれぞれ接続される端子Ｃ、Ｌを電源として、安定した電圧および電流を供給する定電圧回路Ｂ２と、抵抗とコンデンサとの充電時定数に基づきマイコンに割り込み入力を行う図示しない発振回路やマイコン等による制御回路Ｂ３と、サーミスタの温度特性により火災による熱を検出するなどのセンサ回路Ｂ４と、制御回路Ｂ３により火災と判別されるときに端子Ｃ、Ｌ間を低インピーダンスの略短絡状態にスイッチングするとともに、図示しない確認灯を点灯する火災出力回路Ｂ１と、を有し、さらに、点検動作を行うために信号線３の入力側が接続される端子Ｌから点検信号としての試験電圧の入力を検出する試験信号受信回路Ｂ６と、点検動作時に制御回路Ｂ３の制御に基づいてセンサ回路Ｂ４へ点検動作を行わせる試験回路Ｂ５と、制御回路Ｂ３の制御に基づいて端子Ｃ、Ｌ間に所定の定電流を流す定電流制御回路Ｂ７と、を有する。
【００１８】
次に、サーミスタを用いる場合の制御回路Ｂ３による点検動作は、疑似的な高温度状態を形成するため、センサ回路Ｂ４においてサーミスタに例えば低抵抗を並列に接続することにより、疑似的に高温度状態を検出することができる。そして、その結果に基づき、制御回路Ｂ３は点検結果を正常と判断し、定電流制御回路Ｂ７をオンして、端子Ｃ、Ｌ間に所定の定電流を流す。この定電流制御のタイミングは、各火災感知器同時に行われる。以上、図１のシステムに使用される火災感知器４の具体例としてのサーミスタ式熱感知器について説明してきたが、その他の種類の例えば光電式煙感知器や炎感知器等を用いることができるが、そのときに、このシステムに必要な回路を設けておく必要がある。
【００１９】
また、点検器１２は、詳細に示さない計数手段としてのマイコン等を利用して全体が制御され、端子Ｌを介してライン線３から各感知器４に電源電圧または試験電圧が供給される。また、端子ＬＰを介して火災受信機１の信号線２、３に疑似的に終端抵抗電位を与え、端子ＳＴを介して線路切換器６に線路切換動作を行わせるとともに、火災受信機１に点検開始入力を与える。また、線路切換器６は、端子ＳＴｔおよび端子ＳＴを介して火災受信機１へ入力される点検器１２からの点検開始入力を検知して接点を切り換えるものであり、常時火災受信機１への端子ＬＩに接続されている各感知器４への端子ＬＯは、接点切り換えにより、点検器１２への端子Ｌｔに接続され、同時に、火災受信機１への端子ＬＩは、接点切り換えにより、点検器１２への端子ＬＰｔに接続される。その他、コモン線２に接続される端子ＣＩから端子ＣＯ、さらに点検器１２からの端子Ｃｔについては常時接続状態である。
【００２０】
この点検器１２の操作について、図１に示すように、点検器１２を戸外からコネクタ１１に接続した後、電源を投入する。すると、線路切換器６から火災受信機１に点検開始入力を与える。そして、各感知器４からの信号線２、３は、火災受信機１から点検器１２に切り換えられ、火災受信機１の信号線２、３は、点検器１２により疑似的に終端抵抗によるインピーダンスが与えられ、火災受信機１の断線表示を行わせない。
【００２１】
この状態で点検動作が開始されるが、点検動作をスタートさせると、点検器１２から電源電圧を供給している図示しない電圧制限回路を動作させて端子Ｌに点検入力としての試験電圧供給を開始する。上記動作中の信号線２、３の間の電流値について、図４に簡単に示した。図４では、点線の左側が点検器１２等の受信部となり、終端抵抗５と、ｎ個接続される火災感知器４の一部が簡略的に示されている。
【００２２】
まず、通常状態で受信部側から端子Ｃ、Ｌ間に定電圧を供給すると、終端抵抗５を通過する所定の電流Ｉｒが流れる。このとき、各火災感知器４には小さな監視電流が流れているので、通常状態において正確には、所定の電流Ｉｒ＋αであるが、このα分はＩｒと同様に扱えるので、Ｉｒに包含して考えることができる。
【００２３】
この状態から、信号線２、３間に接続された各火災感知器４は、試験信号受信回路Ｂ６により試験電圧の供給を受け制御回路Ｂ３に点検入力が行われる。そして、点検器１２から点検動作の起動させるパルス信号を出力し、各火災感知器４は、そのパルス信号を受けて、制御回路Ｂ３の制御に基づいて試験回路Ｂ５を動作させてセンサ回路Ｂ４を点検する。そして、各火災感知器４の制御回路Ｂ３はセンサ回路Ｂ４が正常な場合、定電流制御回路Ｂ７を動作させて信号線２、３間に所定の定電流を放出させる。このときに、１つの火災感知器４が定電流制御回路Ｂ７の作用により流す所定の定電流をＩｄとすると、通常状態よりも電流Ｉｄが正常な個数ｎ個分増加することになる。
【００２４】
そして、常時の電流をＩ１、点検結果の電流をＩ２とすると、Ｉ１＝Ｉｒ、Ｉ２＝ｎ・Ｉｄ＋Ｉｒとなるが、点検器１２は、電流値の変化から、後述する方式により点検を行う前と比較して、点検結果の正常な感知器の個数を判別する。このように動作させることにより、個別に点検結果を取り込まなくても、正常な個数を把握することにより、全体として正常かどうかがわかる。
【００２５】
次に、感知器の個数を算定する方式について、図３に基づいて説明する。図３では、図４同様、点線の左側が点検器１２等の受信部となり、終端抵抗５と、ｎ個接続される火災感知器４の一部が簡略的に示されている。
【００２６】
通常状態において、各火災感知器４には受信部側から定電圧供給されていて、このとき接点ａは閉じている。感知器の個数算定動作に入る前に、先ずコンデンサＣｏの所定の定電流に対する放電時間ｔ３を計測する。このため、先ず定電圧供給源からコンデンサＣｏに充電するため、接点ｂを閉じる。コンデンサＣｏの電位が十分になるように待機した後、接点ｄを閉じるとともに接点ｂを開放する。この状態でコンデンサＣｏの電位は、接点ｄと、所定の定電流Ｉｒに制御するための定電流制限回路４’を介して放電され、抵抗分割による所定の電位まで低下したことをコンパレータＣＭが判別するまでの時間を計測する。そして、接点ｄを開放する。図示しない計数手段としてのマイコンは、接点ｂの開放からコンパレータＣＭの動作時までの時間を放電時間ｔ３として図示しない記憶手段に格納する。
【００２７】
つぎに、通常状態における放電時間ｔ１を計測する。同様に、先ず定電圧供給源からコンデンサＣｏに充電するため、接点ｂを閉じる。コンデンサＣｏの電位が十分になるように待機した後、信号線２、３への接点ｃを閉じるとともに電源電圧（このときには試験電圧になっている）からの接点ａを開放し、接点ｂを開放する。この状態でコンデンサＣｏの電位は、接点ｃと、通常状態での監視電流が流れる信号線２、３介して放電され、同様に所定の電位まで低下したことをコンパレータＣＭが判別するまでの時間を計測する。そして、接点ａを閉じて接点ｃを開放する。図示しない計数手段としてのマイコンは、接点ｂの開放からコンパレータＣＭの動作時までの時間を放電時間ｔ１として図示しない記憶手段に格納する。
【００２８】
そして、応答する火災感知器４を定電流制御させた状態における放電時間ｔ２を計測する。まず、各火災感知器４に応答させるため、パルス信号等による点検信号を送出し、同様に、定電圧供給源からコンデンサＣｏに充電するため、接点ｂを閉じる。コンデンサＣｏの電位を十分にして各火災感知器が点検結果を応答できるように待機した後、信号線２、３への接点ｃを閉じるとともに電源電圧からの接点ａを開放し、接点ｂを開放する。この状態でコンデンサＣｏの電位は、接点ｃと、応答する火災感知器４が定電流制御する結果としての所定の電流値を通常状態での監視電流に合わせた電流が流れる信号線２、３介して放電され、同様に所定の電位まで低下したことをコンパレータＣＭが判別するまでの時間を計測する。そして、接点ａを閉じて接点ｃを開放する。図示しない計数手段としてのマイコンは、接点ｂの開放からコンパレータＣＭの動作時までの時間を放電時間ｔ２として図示しない記憶手段に格納する。
【００２９】
通常状態で受信部側から端子Ｃ、Ｌ間に定電圧を供給すると、終端抵抗５を通過する所定の電流Ｉｒが流れる。このとき、各火災感知器４には小さな監視電流が流れているので、通常状態において正確には、所定の電流Ｉｒ＋αであるが、このα分はＩｒと同様に扱えるので、Ｉｒに包含して考える。そして、１つの火災感知器４が定電流制御回路Ｂ７の作用により流す所定の定電流をＩｄとすると、通常状態よりも電流Ｉｄが正常な個数ｎ個分増加することになる。すなわち、常時の電流をＩ１、点検結果の電流をＩ２、所定の定電流をＩ３とすると、Ｉ１＝Ｉｒ、Ｉ２＝ｎ・Ｉｄ＋Ｉｒ、Ｉ３＝Ｉｄとなる。ここで、コンデンサＣｏの容量と定電圧供給とは一定であるので、Ｉ１・ｔ１＝Ｉ２・ｔ２＝Ｉ３・ｔ３となり、Ｉ２＝Ｉ１＋ｎ・Ｉ３なので、個数ｎは、ｎ＝ｔ３（ｔ１−ｔ２）／（ｔ１・ｔ２）により算出することができる。
【００３０】
このように、コンデンサＣｏからの放電時間を取り込むことは、図示しないマイコンの１ポートあればよく、わざわざアナログ・デジタル変換を行わなくてもよいので、簡便で安価な方式である。
【００３１】
また、上記の方式以外に、受信部側に感知器複数個分＋終端抵抗の疑似信号部分を設けて時間を比較する方式を用いることができる。しかし、回路素子点数が増え、回路構成も複雑になってしまう。
【００３２】
上記の実施形態において、受信部として点検動作は点検器１２で行っているが、火災受信機１で行えてもよく、点検入力は、電源電圧から試験電圧への電圧変位およびパルス信号のその他の方式、コード信号や周波数変化等を用いてもよく、また、火災感知器４の応答は、自己点検を行わずとも、単純に信号応答として定電流制御を行ってもよい。
【００３３】
さらに、火災感知器４内の回路構成として、火災出力回路Ｂ１と定電流制御回路Ｂ７とを別個に設けているが、火災出力回路Ｂ１に定電流制御を行わせてもよく、この場合システム全体として火災信号であるスイッチング動作を定電流制御とする必要がある。
【００３４】
以上のように、上記の実施形態では、火災受信機等の受信部からの共通線２およびライン線３の間に複数の火災感知器４が並列に接続されてなる火災報知機において、各火災感知器４は、受信部からの信号に基づいて共通線２およびライン線３との間に所定の定電流Ｉｄを流す定電流制御手段（回路）Ｂ７を有するとともに、受信部は、コンデンサＣｏと、該コンデンサＣｏから前記信号出力後の共通線２およびライン線３の間へ放電するときの放電時間から応答した火災感知器の個数ｎを判別する計数手段を有するので、受信部は、応答した火災感知器各々を流れる定電流Ｉｄを合計した共通線２およびライン線３間の電流値に基づくコンデンサＣｏからの放電時間に基づいてその個数ｎを判別することができる。この場合、応答しない感知器を特定することはできないが、応答する感知器の個数から異常の有無については簡便早急に把握することができる。
【００３５】
このとき、受信部では、コンデンサの放電時間について、火災感知器１個の定電流における放電時間と、常時の監視状態における放電時間と、応答する火災感知器の定電流を含めた放電時間と、を測定することにより、コンデンサ個体のばらつきや常時の監視電流等を消去した個数判別が可能になる。
【００３６】
当然、受信部の出力する信号を点検信号として、各火災感知器４は、点検信号を受信するときに、自己点検処理を行って正常終了時に定電流制御手段（回路）Ｂ７を働かせることにより、異常の火災感知器は定電流制御を行わず、受信部の計数手段からの個数の結果が変わることにより、異常の感知器の存在がわかる。また、自己点検を行わせなくても、火災感知器の脱落等、正常な個数の接続があるかどうかが把握できる。
【図面の簡単な説明】
【図１】システムを概略的に示す構成図。
【図２】図１の火災感知器の概略ブロック回路図。
【図３】図１のシステムから判別方式を簡単に示す概略図。
【図４】図１のシステムでの電流の様子を簡単に示す概略図。
【符号の説明】
２、３  信号線
４  火災感知器
１２  点検器
【図１】
0003651532.tif 000002
【図２】
0003651532.tif 000003
【図３】
0003651532.tif 000004
【図４】
0003651532.tif 000005